(57)【要約】【課題】電子機器への電力の供給を制御することのできる電力供給制御システム、電力供給制御装置、および電力供給制御方法を提供する。【解決手段】  電力供給制御装置は、電子機器と接続しており、電子機器への電力の供給中に電子機器の消費電力を検出する。電力供給制御装置は、検出消費電力が予め定められたしきい値電力より大きい場合には、電子機器へ電力の供給を維持する。電力制御装置は、検出消費電力がしきい値電力より小さい場合には、電子機器への電力の供給を遮断する。【選択図】図１
2009153267.tif 000002
【特許請求の範囲】
【請求項１】
電子機器と、該電子機器への電力の供給を制御する電力供給制御装置と、を有する電力供給制御システムであって、
前記電力供給制御装置は、前記電子機器への電力の供給中に前記電子機器の消費電力を検出し、検出した検出消費電力が予め定められたしきい値電力より大きい場合には、前記電子機器へ電力の供給を維持し、前記検出消費電力が前記しきい値電力より小さい場合には、前記電子機器への電力の供給を遮断する、電力供給制御システム。
【請求項２】
請求項１に記載の電力供給制御システムであって、
前記電子機器は、自装置内の消費電力を抑制しながら即座に起動できるように待機するスタンバイモードの設定が可能であり、スタンバイモードにおける消費電力が前記しきい値電力よりも小さい電力供給制御システム。
【請求項３】
請求項２に記載の電力供給制御システムであって、
前記電力供給制御装置は、前記電子機器がスタンバイモードのときの消費電力であるスタンバイ消費電力を予め記憶しており、前記検出消費電力と前記スタンバイ消費電力との差が一定値以下であれば、前記電子機器への電力の供給を遮断する、電力供給制御システム。
【請求項４】
請求項１から３のいずれか１項に記載の電力供給制御システムであって、
前記電力供給制御装置は、電流源と前記電子機器との間に設けられたリレーを備え、前記検出消費電力が前記しきい値電力より大きいときには、前記リレーを導通状態とすることによって前記電子機器へ電力を供給し、前記検出消費電力が前記しきい値電力より小さいときには前記リレーを非導通状態とすることによって前記電子機器への電力の供給を遮断する、電力供給遮断システム。
【請求項５】
請求項２から４のいずれか１項に記載の電力供給制御システムであって、
前記電力供給制御装置は、スイッチを備え、該スイッチへの入力を検知すると前記電子機器の状態に関わらずに前記電子機器へ電力を供給する、電力供給制御システム。
【請求項６】
請求項５に記載の電力供給制御システムであって、
前記電子機器は、電力の供給が行われていないときまたはスタンバイモードのときに前記電力供給制御装置から電力を供給されると、自動的に起動する、電力供給制御システム。
【請求項７】
請求項１から６のいずれか１項に記載の電力供給制御システムであって、
前記電子機器はプロジェクタである、電力供給制御システム。
【請求項８】
電子機器への電力の供給を制御する電力供給制御装置であって、
前記電子機器への電力の供給中に前記電子機器の消費電力を検出し、検出した検出消費電力が予め定められたしきい値電力より大きい場合には、前記電子機器へ電力の供給を維持し、検出した消費電力が予め定められたしきい値電力より小さい場合には、前記電子機器への電力の供給を遮断する電力制御部を有する、電力供給制御装置。
【請求項９】
請求項８に記載の電力供給制御装置であって、
前記電力制御部は、予め定められた第２のしきい値電力を予め記憶しており、前記検出消費電力と前記第２のしきい値電力との差が一定値以下であれば、前記電子機器への電力の供給を遮断する、電力供給制御装置。
【請求項１０】
請求項８または９に記載の電力供給制御装置であって、
前記電力供給制御装置は、前記電力制御部に接続されたスイッチを更に備え、
前記電力制御部は、前記スイッチへの入力を検知すると前記電子機器の状態に関わらずに該電子機器へ電力を供給する、電力供給制御装置。
【請求項１１】
請求項８から１０のいずれか１項に記載の電力供給制御装置であって、
前記電力制御部は電流源と前記電子機器との間に設けられたリレーと該リレーに接続された電力検出部を有し、
前記電力検出部は、
前記電子機器の消費電力を検出し、前記検出消費電力が前記しきい値電力より大きいときには、前記リレーを、前記電子機器へ電力を供給する状態である導通状態とし、前記検出消費電力が前記しきい値電力より小さいときには、前記リレーを、前記電子機器へ電力の供給を遮断する状態である非導通状態とする、電力供給制御装置。
【請求項１２】
電子機器と、該電子機器への電力の供給を制御する電力供給制御装置と、を有する電力供給制御システムにおいて、前記電力供給制御装置から前記電子機器への電力の供給を制御するための電力供給制御方法であって、
前記電力供給制御装置から前記電子機器への電力の供給中に、前記電力供給制御装置にて、前記電子機器の消費電力を検出し、検出した検出消費電力が予め定められたしきい値電力より大きい場合には、前記電力供給制御装置から前記電子機器へ電力の供給を維持し、前記検出消費電力が前記しきい値電力より小さい場合には、前記電力供給制御装置から前記電子機器への電力の供給を遮断する、電力供給制御方法。
【発明の詳細な説明】
【技術分野】
【０００１】
本発明は、電力の供給を制御する電力供給制御システムに関する。
【背景技術】
【０００２】
プロジェクタなどの電子機器は電源をオンあるいはオフにする機能を有している。この電子機器は、ＡＣ（Alternating Current）電源に接続し、ユーザにより電源ボタンが押下されると、ＡＣ電源から電力の供給を受けて電源をオンにする。また、起動している電子機器は、ユーザにより電源ボタンが押下されると、電源をオフにし、ＡＣ電源からの電力の供給を遮断する。
【０００３】
一般に、この種の電子機器は、電源をオンあるいはオフにする機能に加えて、スタンバイモードの機能を備えている。スタンバイモードとは、消費電力を抑制しながら電子機器を即座に起動できるように待機するモードである。スタンバイモードの一例としてプロジェクタに備わっているスタンバイモードについて説明する。プロジェクタの場合、プロジェクタに設けられている主電源スイッチが投入されると、プロジェクタは、スタンバイモードとなり、即座に起動できるように待機する。また、スタンバイモードの他の例としてパーソナルコンピュータ（以下、「ＰＣ」という）に備わっているスタンバイモードについて説明する。ＰＣの場合、ＰＣの電源がオンのときにユーザによってスタンバイモードが選択されると、ＰＣに搭載されているＣＰＵ（Central Processing Unit）がメモリーに動作状態を一時的に保持し、メモリーに保持した動作状態を即座に起動できるように待機する。
【０００４】
スタンバイモード機能を備える電子機器は、スタンバイモードに設定されると、消費電力を抑制しながら微量の電力をＡＣ電源から受けて即座に起動できるように待機する。特開２００４−１３３１０６号公報に開示された電子機器によると、この微量の電力は電源回路やＣＰＵなどが動作するために用いられる。
【特許文献１】特開２００４−１３３１０６号公報
【発明の開示】
【発明が解決しようとする課題】
【０００５】
上述で示したように電子機器がオフの状態のときには、ＡＣ電源からの電源ラインが遮断されているので、ＡＣ電源から電子機器への電力の供給は行なわれていない。
【０００６】
一方、スタンバイモードのときには、ＡＣ電源からの電源ラインは遮断されておらず、電力がＡＣ電源から電子機器へ供給されている。
【０００７】
電源がオフの状態とスタンバイモードとを比較すると、スタンバイモードでは電力が消費されるので、省エネルギーの観点からは電子機器の電源がオフの状態の方が好ましい。
【０００８】
そのため、電子機器の電源がオフのときだけでなくスタンバイモードのときでも、ＡＣ電源から電子機器への電力の供給を遮断するための制御を行なうことのできる電力供給制御システムが必要とされていた。
【０００９】
本発明の目的は、電子機器への電力の供給を制御することのできる電力供給制御システム、電力供給制御装置、および電力供給制御方法を提供することにある。
【課題を解決するための手段】
【００１０】
上記目的を達成するために、本発明の電力供給制御システムは、
電子機器と、該電子機器への電力の供給を制御する電力供給制御装置と、を有する電力供給制御システムであって、
前記電力供給制御装置は、前記電子機器への電力の供給中に前記電子機器の消費電力を検出し、検出した検出消費電力が予め定められたしきい値電力より大きい場合には、前記電子機器へ電力の供給を維持し、前記検出消費電力が前記しきい値電力より小さい場合には、前記電子機器への電力の供給を遮断する。
【００１１】
また、本発明の電力供給制御装置は、
電子機器への電力の供給を制御する電力供給制御装置であって、
前記電子機器への電力の供給中に前記電子機器の消費電力を検出し、検出した検出消費電力が予め定められたしきい値電力より大きい場合には、前記電子機器へ電力の供給を維持し、検出した消費電力が予め定められたしきい値電力より小さい場合には、前記電子機器への電力の供給を遮断する電力制御部を有している。
【００１２】
また、本発明の電力供給制御方法は、
電子機器と、該電子機器への電力の供給を制御する電力供給制御装置と、を有する電力供給制御システムにおいて、前記電力供給制御装置から前記電子機器への電力の供給を制御するための電力供給制御方法であって、
前記電力供給制御装置から前記電子機器への電力の供給中に、前記電力供給制御装置にて、前記電子機器の消費電力を検出し、検出した検出消費電力が予め定められたしきい値電力より大きい場合には、前記電力供給制御装置から前記電子機器へ電力の供給を維持し、前記検出消費電力が前記しきい値電力より小さい場合には、前記電力供給制御装置から前記電子機器への電力の供給を遮断する。
【発明の効果】
【００１３】
本発明によれば、スタンバイモードのときでも電力が消費されないので、電子機器で消費される電力をさらに少なくすることができる。
【発明を実施するための最良の形態】
【００１４】
本発明を実施するための形態について図面を参照して詳細に説明する。図１は本実施形態における電力供給制御システムの構成を示すブロック図である。本電力供給制御システムは電力供給制御装置１と電子機器２を有している。
【００１５】
電力供給制御装置１は、電源コード３を介してＡＣ電源（不図示）と接続しており、また、電源コード４を介して電子機器２と接続している。電子機器２は、電力供給制御装置１と接続している。
【００１６】
本実施形態の概要を説明すると、電力供給制御装置１は、電子機器２と接続しており、電子機器２への電力の供給中に電子機器２の消費電力を検出する。電力供給制御装置１は、検出した消費電力（以下、「検出消費電力」という）が予め定められたしきい値となる消費電力（以下、「しきい値電力」という）より大きい場合には、電子機器２へ電力の供給を維持する。電力供給制御装置１は、検出消費電力が予め定められたしきい値電力より小さい場合には、電子機器２への電力の供給を遮断する。
【００１７】
これによれば、電力供給制御装置１は、消費電力の大きい状態（例えば、電子機器２の電源がオンの状態）では、電子機器２に電力を供給し、消費電力の小さい状態（例えば、電子機器２の電源がオフの状態やスタンバイモード）では、電子機器２への電力の供給を遮断する。これにより、スタンバイモードのときでも電力が消費されないので、電子機器２で消費される電力をさらに少なくすることができる。
【００１８】
以下、電力供給遮断システムを構成する電力供給制御装置１と電子機器２についてそれぞれ詳細に説明する。
【００１９】
電力供給制御装置１は、電力制御機能を有しており、この電力制御機能によってＡＣ電源から電子機器２への電力の供給を制御する。電力遮断機能とは、ＡＣ電源から電子機器２への電力の供給を制御する機能である。例えば、電力供給制御装置１は、ＡＣ電源から電子機器２へ供給される消費電力を検出し、検出消費電力に応じて電子機器２への電力の供給を制御する。
【００２０】
具体的には、電力供給制御装置１はスタンバイ消費電力を予め記憶している。スタンバイ消費電力とは、しきい値電力より小さいスタンバイモードのときの消費電力である。電力供給制御装置１は、電子機器２の消費電力を検出すると、検出消費電力とスタンバイモード消費電力との差を計測する。そして、電力供給制御装置１は、計測した差が一定値以下の場合には、電子機器２への電力の供給を遮断する。電力供給制御装置１は、計測した差が一定値より大きい場合には、電子機器２への電力の供給を継続する。これによれば、検出消費電力がスタンバイ消費電力の付近で誤差が生じたときでも、電力供給制御装置１から電子機器２への電力の供給が遮断される。
【００２１】
電子機器２は、スタンバイモードを備える電子機器であり、例えばプロジェクタ装置である。電子機器２は、画像を投射面に投射するための光源（不図示）、ＡＣ電源からの電力の供給を制御する主電源スイッチ（不図示）、電源のオンあるいはオフを行なう電源ボタン（不図示）、電力の供給を受けるＡＣ入力部（不図示）などを備えている。
【００２２】
電子機器２は、主電源スイッチのオンとオフとを切り替えることによって、電力の供給または電力の遮断のいずれかの処理を行なう。電子機器２の主電源スイッチがオフからオンに切り替わると、電子機器２はＡＣ電源から電力の供給を受けてスタンバイモードとなる。一方、電子機器２の主電源スイッチがオンからオフに切り替わると、電源を切って電力の供給を遮断する。
【００２３】
また、電子機器２は、ＡＣ電源から電力が供給されているときに電源ボタンの押下を検出すると、起動あるいはスタンバイモードへの切り替えのいずれかの処理を行なう。具体的には、電子機器２は、スタンバイモードのときに電源ボタンの押下を検出すると、起動を開始し、電子機器２がオンの状態になる。電子機器２は、オンの状態のときに電源ボタンの押下を検出すると、オンの状態からスタンバイモードに切り替わる。電子機器２がオンの状態からスタンバイモードに切り替えると、電力供給制御装置１に備わっている電力遮断機能により電力の供給が遮断される。
【００２４】
また、電子機器２はオートスタート機能を有している。オートスタート機能とは、電子機器２の電源ボタンを押さなくても、ＡＣ電源から電子機器２に電力が供給されたときに、自動的に起動する機能である。例えば、オートスタート機能を有する電子機器２に電力の供給が開始されると、電子機器２が自動的に起動し、電子機器２による画像の投射がなされる。これによれば、電子機器２に設けられている電源ボタンの押下が不要となる。
【００２５】
図２は本実施形態における電力供給制御装置１の構成を示すブロック図である。本電力供給制御装置１は、ＡＣ入力部１１、電力制御部５０、ＡＣ出力部１３、電力供給スイッチ２１、電力遮断スイッチ２２、を有している。
【００２６】
ＡＣ入力部１１の一端は電流源と接続しており、もう一端は電力遮断スイッチ２２と接続している。電力遮断スイッチ２２のもう一端は、並列に接続されている電力供給スイッチ２１と電力制御部５０とを介してＡＣ出力部１３と接続している。
【００２７】
電力供給スイッチ２１は電子機器２に電力を供給するためのスイッチである。電力供給スイッチ２１は通常開いており非導通状態であるがユーザによって押下されている間だけ閉じて導通状態とすることができる。電力供給スイッチ２１が導通状態になることによって、ＡＣ入力部１１からの交流電流が電力供給スイッチ２１を介して電力制御部５０および電子機器２に流れる。
【００２８】
電力制御部５０は、電子機器２への電力の供給中に電子機器２の消費電力を検出し、検出した検出消費電力が予め定められたしきい値電力より大きい場合には、電子機器２へ電力の供給を維持し、検出した消費電力が予め定められたしきい値電力より小さい場合には、電子機器２への電力の供給を遮断する。これらの一連の処理を実行するために、電力制御部５０は、ラッチリレー１２、ＡＣ／ＤＣ変換部３１、電力検出部３２、および切替部３３を有している。この電力制御部５０を構成するラッチリレー１２、ＡＣ／ＤＣ変換部３１、電力検出部３２、および切替部３３についてそれぞれ詳細に説明する。
【００２９】
ラッチリレー１２と電力供給スイッチ２１とがＡＣ入力部１１とＡＣ出力部１３との間に並列に接続されている。電力検出部３２は、ＡＣ入力部１１とＡＣ出力部１３との配線上に接続しており、また、切替部３３を介してＡＣ／ＤＣ変換部３１およびラッチリレー１２に接続している。ＡＣ／ＤＣ変換部３１は、ＡＣ入力部１１とＡＣ出力部１３との配線に接続しており、また、ラッチリレー１２と接続している。
【００３０】
ＡＣ／ＤＣ変換部３１は、電力供給スイッチ２１を介したＡＣ電源からの交流電流を直流電流に変換し、直流電流をラッチリレー１２に出力する。具体的には、ＡＣ／ＤＣ変換部３１は、ＡＣ電源からの１００Ｖの交流電圧を１２Ｖの直流電圧に変換し、１２Ｖの直流電圧をラッチリレー１２に印加することによって、直流電流をラッチリレー１２に流す。
【００３１】
ラッチリレー１２は、自己保持機能を有しており、この自己保持機能によって電子機器２への電力の供給を制御する。自己保持機能とは、電流がラッチリレー内に流入すると、ラッチリレー内のスイッチがオンまたはオフのいずれかに切り替わり、切り替わった状態を保持する機能である。
【００３２】
ここで自己保持機能について詳細に説明する。ラッチリレー１２は、コイル４０，４１、およびスイッチ４２を有している。スイッチ４２は、通常開いており、非導通状態となる。一般にコイルは交流電流を通しにくいが直流電流を通しやすい性質があるので、ＡＣ／ＤＣ変換部３１で交流電流を直流電流に変換しておく。ＡＣ／ＤＣ変換部３１からコイル４１に直流電流が流れると、コイル４１に磁気力が発生する。スイッチ４２はこの磁気力を受けることによって閉じて導通状態となり、電子機器２への交流電流の供給が可能となる。スイッチ４２が導通状態になると、スイッチ４２とＡＣ／ＤＣ変換部３１によって直流電流がコイル４１へ流れ続けるので、コイル４１から発生する磁気力によりスイッチ４２は導通状態を維持することができる。これにより、電力供給スイッチ２１を押下し続けなくても、電力供給スイッチ２１を介して電子機器２へ交流電流を供給することができる。一方、ＡＣ／ＤＣ変換部３１から切替部３３を介してコイル４１と逆方向に巻かれているコイル４０に直流電流が流れると、スイッチ４２への磁気力が減少し、スイッチ４２は開いて非導通状態となる。その結果、電子機器２への交流電流の供給が遮断される。
【００３３】
切替部３３はコイル４０への直流電流の供給あるいは遮断を切り替えるためのスイッチである。切替部３３は、通常開いて非導通状態となるが、電力検出部３２からの信号を検出すると、閉じて導通状態となる。切替部３３が導通状態となると、切替部３３を介した直流電流がコイル４０に流れる。
【００３４】
電力検出部３２は電子機器２に流れる交流電流に基づいて電子機器２の消費電力を検出する。電力検出部３２は、検出消費電力がしきい値より大きいと、電子機器２への電力の供給を維持し、検出消費電力がしきい値電力より小さいと、電子機器２への電力の供給を遮断する。
【００３５】
例えば、電力検出部３２は、スタンバイ消費電力を予め記憶しており、電子機器２の検出消費電力とスタンバイ消費電力との差を計測する。電力検出部３２は、計測した差が一定値以下であれば、切替部３３に信号を送り、切替部３３を閉じて導通状態とするよう指示する。電力検出部３２からの指示により切替部３３が導通状態となると、直流電流がコイル４０に流がれ、コイル４０で発生する磁気力によって、スイッチ４２がオフとなる。これにより、ＡＣ電源から電子機器２への電力の供給が遮断される。
【００３６】
電力遮断スイッチ２２は電子機器２に電力の供給を即座に遮断させるためのスイッチである。通常、電力遮断スイッチ２２は導通であるがユーザによって押下されると非導通状態となり、電子機器２への電力の供給が遮断される。
【００３７】
図３は本実施形態における消費電力抑制システムの動作を示すフローチャートである。
【００３８】
ユーザによって電力供給スイッチ２１が押下されると、電力供給スイッチ２１が導通状態となり、ＡＣ入力部１１から供給される交流電流がＡＣ／ＤＣ変換部３１に流入する（ステップ１００）。ＡＣ／ＤＣ変換部３１は、ＡＣ入力部１１からの交流電流を直流電流に変換し、ラッチリレー１２に出力する（ステップ１０１）。ラッチリレー１２は、ＡＣ／ＤＣ変換部３１からの直流電流を受けると、スイッチ４２への磁気力を発生させてスイッチ４２をオンにする（ステップ１０２）。その後、スイッチ４２を介してＡＣ電源からの交流電流が電子機器２に供給される（ステップ１０３）。
【００３９】
電力供給制御装置１から電子機器２に交流電流が供給されているとき、電力供給制御装置１の電力検出部３２は検出消費電力とスタンバイ消費電力との差を計測する（ステップ１０４）。計測した差が一定値より大きければ、ラッチリレー１２の自己保持機能によって、スイッチ４２のオンの状態が維持され、スイッチ４２およびＡＣ出力部１３を介して電子機器２に交流電流が供給され続ける（ステップ１０５）。電子機器２は、スタンバイモードなど使用されていないときに電力供給制御装置１から交流電流を供給されると、自動的に起動し、投射面に画像の投射を開始する（ステップ１０６）。
【００４０】
ステップ１０４の検出処理で、検出した差が一定値以下であれば、電力検出部３２は、切替部３３に信号を送り、切替部３３を導通状態とする（ステップ１０７）。そして、スイッチ４２がオフになり、電子機器２への電力の供給が遮断される（ステップ１０８）。
【００４１】
以上説明したように、本実施形態によれば、電力供給制御装置１は、電子機器２の消費電力が大きいときには、電子機器２へ電力を供給し、電子機器２の消費電力が小さいときには、電子機器２への電力の供給を遮断する。これにより、スタンバイモードのときでも電子機器２で電力が消費されないので、電子機器２で消費される電力をさらに少なくすることができる。
【００４２】
なお、電子機器の中には、使用後に冷却が不要あるいは冷却のためのＡＣ電源が不要な機器がある。そのような電子機器２に電力遮断供給装置１が接続されている場合、電力供給制御装置１は、電力遮断スイッチ２２の押下を検出すると、直ちに電子機器２への消費電力を遮断するようにしてもよい。
【００４３】
また、本実施形態ではプロジェクタに備わっているスタンバイモードを用いる例を示したが、本発明はスタンバイモードの機能有しているパーソナルコンピュータなどの電子機器であればいずれにも適用できる。
【００４４】
また、本実施形態では、オートオン機能を有しているプロジェクタを用いる例を示したが、本発明は、オートオン機能を有している電子機器であればいずれにも適用できる。
【００４５】
また、本実施形態では、電力制御部が電力供給制御装置に搭載される例を示したが、本発明はこれに限定されない。他の例として、電力検出部、ラッチリレー、ＡＣ／ＤＣ変換部などの電力制御部を電子機器に内蔵するようにしてもよい。この場合、電力制御部は、ＣＰＵやメモリーなど電力を消費する消費部と接続し、消費部への電力の供給中に消費部の消費電力を検出する。電力制御部は、検出消費電力が予め定められたしきい値電力より大きい場合には、消費部へ電力の供給を維持する。電力制御部は、検出消費電力が予め定められたしきい値電力より小さい場合には、電子機器への電力の供給を遮断する。
【００４６】
また、電子機器に、消費電力の差を検出する電力検出部を内蔵する他に、冷却ファンの停止を検出するファン停止検出部や電子機器の停止後に予め定められた時間を計測する計測部を内蔵するようにしてもよい。この場合、ファン停止検出部にて冷却ファンの停止が検出され、あるいは計測部にて予め定められた時間が経過されると、ラッチリレー内のスイッチが遮断される。
【図面の簡単な説明】
【００４７】
【図１】本実施形態における電力供給制御システムの構成を示すブロック図である。
【図２】本実施形態における電力供給制御装置１の構成を示すブロック図である。
【図３】本実施形態における電力供給制御システムの動作を示すフローチャートである。
【符号の説明】
【００４８】
１    電力供給制御装置
２    電子機器
１１  ＡＣ入力部
１２  ラッチリレー
１３  ＡＣ出力部
２１  電力供給スイッチ
２２  電力遮断スイッチ
３１  ＡＣ／ＤＣ変換部
３２  電力検出部
３３  切替部
４０，４１  コイル
４２  スイッチ
５０  電力制御部
１００〜１０８  ステップ
【図１】
2009153267.tif 000003
【図２】
2009153267.tif 000004
【図３】
2009153267.tif 000005